(57)【要約】【課題】従来の電気ケトルでは、湯の温度を測定することが必要であり、制御ユニットを搭載する必要があった。【解決手段】本発明の電気ケトルは、容器６と注ぎ口１４を有すると共に上部が開口した本体２と、本体２の上部開口部分を塞ぐ蓋体９と、を有し、本体２は、本体２の開口位置周囲に本体蒸気通路５４が形成され、本体蒸気通路５４は容器６内の空間と連通する蒸気入り口５６が形成され、容器６と注ぎ口１４との間の液体流路に、複数個の小穴５２を有する隔壁５０を設け、本体蒸気通路５４は、隔壁５０と注ぎ口１４との間の空間に繋がっていることを特徴とする。【選択図】図２
2013240573.tif 000002
【特許請求の範囲】
【請求項１】
液体を入れる容器と、当該容器内の液体を注ぐための注ぎ口と、を有し、
前記容器と前記注ぎ口との間の液体流路に、複数個の小穴を有する隔壁を設けたことを特徴とする電気ケトル。
【請求項２】
請求項１に記載の電気ケトルであり、
前記注ぎ口と前記隔壁との間に蒸気通路を設けたことを特徴とする電気ケトル。
【請求項３】
請求項１又は２に記載の電気ケトルであり、
前記隔壁は、水平な面である平面部と、当該平面部の後方に存在し斜め上方に向かって延在する曲面である曲面部と、を有することを特徴とする電気ケトル。
【請求項４】
容器と注ぎ口を有すると共に上部が開口した本体と、当該本体の上部開口部分を塞ぐ蓋体と、を有し、
前記本体は、当該本体の開口位置周囲に前記蒸気通路が形成され、
前記蒸気通路は前記容器内の空間と連通する蒸気入り口が形成され、
前記容器と前記注ぎ口との間の液体流路に、複数個の小穴を有する隔壁を設け、前記蒸気通路は、前記隔壁と前記注ぎ口との間の空間に繋がっていることを特徴とする電気ケトル。
【発明の詳細な説明】
【技術分野】
【０００１】
本発明は電気ケトル、特に電気ケトルの注ぎ口近傍の構造に関する。
【背景技術】
【０００２】
電気ケトルの沸騰時の湯飛び出し防止として、沸騰する前に間欠運転に切り替えて、沸騰時に湯面の乱れを抑制する方法がある（例えば特許文献１参照）。
【０００３】
図５は、特許文献１に記載された従来の電気ケトルの沸騰時の湯飛び出し防止制御を示すものである。図５に示すように、沸騰する前に間欠運転に切り替えて、沸騰時に湯面の乱れを抑制することにより、注ぎ口から湯が飛び出すのを防止している。
【先行技術文献】
【特許文献】
【０００４】
【特許文献１】イギリス特許第ＧＢ２４０４２９３Ｂ号公報
【発明の概要】
【発明が解決しようとする課題】
【０００５】
しかしながら、前記従来の構成では、湯の温度を測定することが必要であり、制御ユニットを搭載した機種でしか行うことができない。
【０００６】
本発明は、前記従来の課題を解決するもので、機械式の沸騰検知を行う機種において、湯が沸騰したときに容器内の蒸気が外部へ放出する通路を確保することにより、注ぎ口から湯が飛び出す危険性を抑制する電気ケトルを提供することを目的とする。
【課題を解決するための手段】
【０００７】
前記従来の課題を解決するために、本発明の電気ケトルは、蒸気検知手段を搭載した機種において、湯の注ぎ口に規定の出湯量が確保できる程度の複数個の小穴を設けたものである。
【０００８】
請求項１に記載の発明は、液体を入れる容器と、当該容器内の液体を注ぐための注ぎ口と、を有し、前記容器と前記注ぎ口との間の液体流路に、複数個の小穴を有する隔壁を設けたことを特徴とする。
【０００９】
請求項２に記載の発明は、請求項１に記載の電気ケトルであり、前記注ぎ口と前記隔壁との間に蒸気通路を設けたことを特徴とする。
【００１０】
請求項３に記載の発明は、請求項１又は２に記載の電気ケトルであり、前記隔壁は、水平な面である平面部と、当該平面部の後方に存在し斜め上方に向かって延在する曲面である曲面部と、を有することを特徴とする。
【００１１】
請求項４に記載の発明は、容器と注ぎ口を有すると共に上部が開口した本体と、当該本体の上部開口部分を塞ぐ蓋体と、を有し、前記本体は、当該本体の開口位置周囲に前記蒸気通路が形成され、前記蒸気通路は前記容器内の空間と連通する蒸気入り口が形成され、前記容器と前記注ぎ口との間の液体流路に、複数個の小穴を有する隔壁を設け、前記蒸気通路は、前記隔壁と前記注ぎ口との間の空間に繋がっていることを特徴とする。
【発明の効果】
【００１２】
本発明の電気ケトルでは、湯の注ぎ口近傍に複数個の小穴を設けたことにより、湯が沸騰したときに容器内の蒸気が外部へ放出する通路を確保することができる。
【図面の簡単な説明】
【００１３】
【図１】本発明を適用してなる実施例装置である電気ケトルの断面図である。
【図２】実施の形態１における電気ケトルの注ぎ口近傍の断面図である。
【図３】実施の形態１における電気ケトルの蒸気検出手段近傍の断面図である。
【図４】実施の形態２における電気ケトルの断面図である。
【図５】従来の電気ケトルにおける運転制御を示す図である。
【発明を実施するための形態】
【００１４】
請求項１に記載の発明は、液体を入れる容器と、当該容器内の液体を注ぐための注ぎ口と、を有し、前記容器と前記注ぎ口との間の液体流路に、複数個の小穴を有する隔壁を設けたことを特徴とする。
【００１５】
このような構成とすることにより、容器内の液体が沸騰して水面が上昇しても、水蒸気を外部に放出することができ、液体の沸騰により液体が注ぎ口から溢れることを回避することが可能である。
【００１６】
請求項２に記載の発明は、請求項２に記載の電気ケトルであり、前記注ぎ口と前記隔壁との間に蒸気通路を設けたことを特徴とする。
【００１７】
このような構成とすることにより、仮に容器内の液体が沸騰して小穴が塞がれたとしても、水蒸気を外部に放出することができ、液体の沸騰により液体が注ぎ口から溢れることを回避することが可能である。
【００１８】
請求項３に記載の発明は、請求項１又は２に記載の電気ケトルであり、前記隔壁は、水平な面である平面部と、当該平面部の後方に存在し斜め上方に向かって延在する曲面である曲面部と、を有することを特徴とする。
【００１９】
このような構成とすることにより、仮に容器内の液体が沸騰して平面部の小穴が塞がれたとしても、曲面部の小穴から水蒸気を外部に放出することができ、液体の沸騰により液体が注ぎ口から溢れることを回避することが可能である。
【００２０】
請求項４に記載の発明は、容器と注ぎ口を有すると共に上部が開口した本体と、当該本体の上部開口部分を塞ぐ蓋体と、を有し、前記本体は、当該本体の開口位置周囲に前記蒸気通路が形成され、前記蒸気通路は前記容器内の空間と連通する蒸気入り口が形成され、前記容器と前記注ぎ口との間の液体流路に、複数個の小穴を有する隔壁を設け、前記蒸気通路は、前記隔壁と前記注ぎ口との間の空間に繋がっていることを特徴とする。
【００２１】
このような構成とすることにより、仮に容器内の液体が沸騰して隔壁の小穴が塞がれたとしても、小穴から別に形成された蒸気入り口から蒸気通路を介して水蒸気を外部に放出することができ、液体の沸騰により液体が注ぎ口から溢れることを回避することが可能である。
【００２２】
以下、本発明の実施の形態について、図面を参照しながら説明する。なお、この実施の形態によって本発明が限定されるものではない。
【実施例】
【００２３】
図１は、本発明を適用してなる実施形態である電気ケトルの断面図を示している。
【００２４】
図１において、本実施例装置である電気ケトルは、本体２と、本体２の後方（図１紙面右側）に形成され、本体２を持ち上げるときの持ち手となる取手３とを有し、この本体２は、給電台４上に載置することが可能である。
【００２５】
ユーザが取手３を持ち上げることにより、本体２を給電台４から持ち上げ、コップ等にお湯を注ぐことが可能であり、本体２を給電台４に載置した状態では、本体２は給電台４からの電力によりお湯を加熱することができる。
【００２６】
本体２は、満水時の水位を表示した満水目盛５を内側面に設けた液体を収容する容器６と、容器６内に液体を注入するための開口穴としての給水口７と、容器６の上方開口部をヒンジ部８の支点軸を中心に開閉自在に覆う蓋体９と、容器６内の液体を加熱する加熱手段１０と、沸騰した液体の蒸気を検知し自動で機械的に給電を停止する例えばバイメタルスイッチからなる蒸気検知手段１１と、を有している。
【００２７】
又、本体２は、蒸気検知手段１１の給電と給電停止を切替えるスイッチに結合し本体２外面に配置した操作部１２と、給電台４の上面に配置した本体接続部１３と、本体２の上端前部側面に設けた液体を本体２外に注出するための注ぎ口１４と、注ぎ口１４と容器６間に配置し液体を本体２外に注出するときに液体内の異物を取除くためのフィルター１５とを備えている。
【００２８】
また、蓋体９は、蓋外装板１６と、蓋本体部１７と、お手入れ性と外観品位の向上を目的としたステンレス製の蓋化粧板１８と、蓋本体部１７に取付けた蓋を閉じたときに本体係合部１９に係合する蓋係合部２０を他端に有する蓋開閉操作部２１と、蓋体９を閉じたときに蓋体９と給水口７間をシールするためのゴム製のシール部材２２と、シール部材２２を固定するためのシール部材押え板２３と、蓋本体部１７とシール部材押え板２３に挟まれた空間の蒸気経路２４とから構成されている。
【００２９】
図１において、加熱手段１０の下方には受け皿２５が配置されており、受け皿２５の裏面側には、温度ヒューズ取り付け板２６により温度ヒューズ２７が接触している。
【００３０】
（実施の形態１）
図２は、図１に示す電気ケトルの注ぎ口１４部分の断面図である。
【００３１】
隔壁５０は注ぎ口１４と容器６との間に設けられ、この隔壁５０は、注ぎ口１４近傍が水平な（容器６内の液体表面と平行となる）方向に平らな面（平面部５１）となっており、この平面部５１に小穴５２が形成されている。又、この平面部５１は途中から斜め上方に向かって曲面（曲面部５３）となっており、この曲面部５３にも小穴５２が形成されている。この複数の小穴５２の開口面積の合計は、湯を注ぐときに、約１００ｍｌ／秒の流量が得られる開口面積となっている。
【００３２】
また、この隔壁５０と注ぎ口１４との間には、本体蒸気通路５４が形成されており、この本体蒸気通路５４は、本体２の上側部分に給水口７を囲むように本体２に形成されている。
【００３３】
この平面部５１と曲面部５３は容器６内部に対して露出しており、容器６内で発生した蒸気或いは容器６内のお湯をこの小穴５２を介して注ぎ口１４へ放出することが可能である。
【００３４】
図３は、図１に示す電気ケトルの蒸気検知手段１１部分の断面図である。
【００３５】
図３に示すように、蒸気検知手段１１は、蒸気が溜まる空間である蒸気室５５の上面に配置されており、この蒸気室５５と容器６とは、蒸気入り口５６を介して繋がっている。
【００３６】
また、この蒸気室５５は、図２に示す本体蒸気通路５４と繋がっており、容器６内で発生した蒸気は、蒸気入り口５６、蒸気室５５、本体蒸気通路５４を通った後に注ぎ口１４を介して本体２外部へ放出される。
【００３７】
以上のように構成された電気ケトルについて、以下にその動作、作用を説明する。まず、一般によく知られているように、本体２を給電台４上に設置し、蓋体９を開放して、別の容器にて計量した液体を給水口７から容器６内に満水目盛５の水位まで入れ、操作部１２を操作し手動で給電を開始し、加熱手段１０にて液体を加熱することにより湯沸しを行い、沸騰した後に多量の蒸気が発生する。
【００３８】
この多量に発生した蒸気は、フィルター１５を介して本体外に最も広く開口された注ぎ口１４から本体外に排出されるが、沸騰にともない容器６内の蒸気圧が上昇して、本体蒸気通路５４を介して、注ぎ口１４から蒸気が排出されるようになる。更に、沸騰が継続することにより容器６内の蒸気圧が上昇して蒸気室５５に多量の蒸気が浸入し、蒸気の熱により蒸気検知手段１１のバイメタルが作動し、湯面の波立ちと蒸気の排出は継続するものの蒸気圧の上昇はなくなり、沸騰後間もなく自動で給電を停止する。
【００３９】
このとき、湯沸しにより液体が沸騰し、沸騰により発生した気泡が湯面を激しく波立たせ、波立ちにより水位が大きく上昇し、上昇した湯面により注ぎ口１４から湯が本体外に噴きこぼれないように、湯面の上昇量を想定して満水目盛５を表示し、水面から注ぎ口１４までの空間を確保している。
【００４０】
また、満水目盛５を目安に容器６内に液体を入れる場合の通常おこりうる過給水に配慮し、液体を多く入れすぎた場合でも湯面の上昇量を想定した満水目盛５の表示を行い、水面から注ぎ口１４までの空間をより多く確保している。
【００４１】
このように、使用者がある程度の量の液体を容器６に入れて沸騰させても問題ないような工夫を施しているが、使用者が満水目盛５以上に多くの液体を容器６に注いだ後に容器６内の液体を沸騰させると、沸騰時の湯面の波立ちによる水位の最高到達高さは高くなり、やがて注ぎ口１４の位置に達し、容器内で飛散った湯が注ぎ口１４にかかってしまうこともありうる。
【００４２】
この時、本実施例装置では、図２に示す平面部５１近傍まで水位が高くなったとしても、容器６内の水蒸気は曲面部５３から外方へ放出されるため、容器６内の水蒸気が本体２外方に放出されることがなくなり、お湯が注ぎ口１４から溢れ出ることを回避することが可能である。
【００４３】
また、仮に曲面部５３の小穴５２部分までお湯で塞がれた場合でも、小穴５２から上方に存在する本体蒸気通路５４から、注ぎ口１４を介して外方に蒸気を放出することが可能である。
【００４４】
本実施例装置では、更に以下のような効果も有している。例えば、沸騰時の飛散により注ぎ口１４に湯が溜まっても、溜まった湯は次第に容器６内に落ち、再び注ぎ口が開放され、蒸気の排出をスムーズに行うことが可能である。
【００４５】
尚、平面部５１と曲面部５３夫々に設ける小穴５２は、それぞれ１個だけでなくても良い。平面部５１と曲面部５３夫々に複数個の小穴５２を設けても良い。
【００４６】
また、本実施例装置では、平面部５１と曲面部５３夫々に小穴５２を設けたが、平面部５１の小穴５２と曲面部５３の小穴５２とが連続するように繋げる構造も考えられる。この場合、小穴５２は上下方向に伸びた形状となる。この場合でも、隔壁５０が存在しない従来の電気ケトルに比べ、水が沸騰した際に、注ぎ口１４から溢れ出るお湯の勢いを抑えることが可能である。
【００４７】
（実施の形態２）
図４は、本発明を適用してなる実施の形態２における電気ケトルの断面図を示すものである。パイプ５７は容器６に溶接されているパイプである。このパイプ５７は上端が開口している蒸気開口部５８と、下端が開口している下端開口部５９と、を有している。この蒸気開口部５８は蒸気室５５にて開口しており、下端開口部５９は、本体接続部６０に内蔵された第２の蒸気検知手段６１近傍に開口している。
【００４８】
以下、その動作、作用を説明する。容器６内の水が加熱手段１０により加熱され、沸騰する。沸騰時間が長くなるのに従い湯面の波立ちが大きくなり、隔壁５０まで達する。このとき、小穴５２に湯膜が張り蒸気の吐出を抑制する。
【００４９】
これにより、蒸気室５５の圧力が高まり、発生した蒸気はパイプ５７の上端開口部５８より勢いよく流れ込み、下端開口部５９より流れ出て、第２の蒸気検知手段６１の温度を急激に上昇させ、電流が遮断される。沸騰後、短時間で湯沸しが終了するため、注ぎ口１４より湯が飛び出すことはない。
【産業上の利用可能性】
【００５０】
以上のように、本発明にかかる電気ケトルは、噴きこぼれが発生するまでの過給水量を多くし、噴きこぼれが発生しにくくすることができるので、製品の高出力化時の安全性確保、及び、製品の小型化等の用途にも適用できる。
【符号の説明】
【００５１】
６    容器
１０  加熱手段
１１  蒸気検知手段
５０  隔壁
５１  平面部
５２  小穴
５３  曲面部
５４  本体蒸気通路
５５  蒸気室
５６  蒸気入り口
６１  第２の蒸気検知手段
【図１】
2013240573.tif 000003
【図２】
2013240573.tif 000004
【図３】
2013240573.tif 000005
【図４】
2013240573.tif 000006
【図５】
2013240573.tif 000007